(57)【要約】【課題】演出の趣向性を向上させることが可能な遊技機を提供すること。【解決手段】対応する当否判定結果の報知が完了していない当否判定情報の存在を示す保留図柄１０を表示する表示手段９１と、対応する当否判定結果が当たりとなる蓋然性である信頼度が高まったことを、前記保留図柄１０の態様の変化により示唆する保留変化演出を実行することが可能な保留変化演出実行手段と、一または複数種の補助図柄２０を含む複数の補助図柄群を変動表示し、当該補助図柄群の変動の停止により示される補助図柄２０の組み合わせが所定の態様となるか否かにより、前記保留変化演出の発生の有無を示す事前演出を実行する事前演出実行手段と、を備え、前記補助図柄の組み合わせが所定の態様となった場合、当該補助図柄の組み合わせに対応する前記保留変化演出が発生する遊技機１とする。【選択図】図５
2019024710.tif 000002
【特許請求の範囲】
【請求項１】
対応する当否判定結果の報知が完了していない当否判定情報の存在を示す保留図柄を表示する表示手段と、
対応する当否判定結果が当たりとなる蓋然性である信頼度が高まったことを、前記保留図柄の態様の変化により示唆する保留変化演出を実行することが可能な保留変化演出実行手段と、
一または複数種の補助図柄を含む複数の補助図柄群を変動表示し、当該補助図柄群の変動の停止により示される補助図柄の組み合わせが所定の態様となるか否かにより、前記保留変化演出の発生の有無を示す事前演出を実行する事前演出実行手段と、
を備え、
前記補助図柄の組み合わせが所定の態様となった場合、当該補助図柄の組み合わせに対応する前記保留変化演出が発生することを特徴とする遊技機。
【発明の詳細な説明】
【技術分野】
【０００１】
本発明は、遊技機に関する。
【背景技術】
【０００２】
既に取得された当否判定情報（当否判定用の乱数値）が存在することを示す保留図柄の態様を変化させることで、当該保留図柄に対応する当否判定結果が大当たりとなる蓋然性（いわゆる大当たり信頼度）が高まったことを示唆する保留変化演出を実行することが可能な遊技機が周知である（例えば、下記特許文献１参照）。
【先行技術文献】
【特許文献】
【０００３】
【特許文献１】特開２０１７−８６７８６公報
【発明の概要】
【発明が解決しようとする課題】
【０００４】
本発明は、演出の趣向性を向上させることが可能な遊技機を提供することにある。
【課題を解決するための手段】
【０００５】
上記課題を解決するためになされた本発明にかかる遊技機は、対応する当否判定結果の報知が完了していない当否判定情報の存在を示す保留図柄を表示する表示手段と、対応する当否判定結果が当たりとなる蓋然性である信頼度が高まったことを、前記保留図柄の態様の変化により示唆する保留変化演出を実行することが可能な保留変化演出実行手段と、一または複数種の補助図柄を含む複数の補助図柄群を変動表示し、当該補助図柄群の変動の停止により示される補助図柄の組み合わせが所定の態様となるか否かにより、前記保留変化演出の発生の有無を示す事前演出を実行する事前演出実行手段と、を備え、前記補助図柄の組み合わせが所定の態様となった場合、当該補助図柄の組み合わせに対応する前記保留変化演出が発生することを特徴とする。
【発明の効果】
【０００６】
本発明にかかる遊技機によれば、保留変化演出の趣向性を向上させることが可能である。
【図面の簡単な説明】
【０００７】
【図１】本実施形態にかかる遊技機の正面図である。
【図２】（ａ）は表示装置（表示領域）に表示された保留図柄および装飾図柄を模式的に示した図であり、（ｂ）は保留図柄の種類を示した図である。
【図３】（ａ）は補助図柄の種類を示した図であり、（ｂ）は事前演出において補助図柄とともに変動表示されうるブランク図柄を示した図である。
【図４】事前演出およびその後発生しうる保留変化演出の基本的構成を説明するための図である。
【図５】事前演出およびその後発生する保留変化演出の一例を示した図である。
【図６】複数の有効ラインにて補助図柄がテンパイした状態を示した図である。
【図７】第一具体例を説明するための図である。
【図８】第四具体例を説明するための図（その一）である。
【図９】第四具体例を説明するための図（その二）である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口などが設けられている。かかる表示装置９１の表示領域９１１は、遊技盤９０に形成された開口９０１を通じて視認可能となる領域である。なお、一部の図においては、表示領域９１１を大まかに記載するが、その形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（以下、当否判定情報と称することもある）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される装飾図柄５０（図２（ａ）等参照）の組み合わせによって当否判定結果を遊技者に報知する。本実施形態では、それぞれが複数種の装飾図柄５０を含む三つの装飾図柄５０群が変動表示される。装飾図柄５０（群）は、当否判定結果の報知の開始とともに変動を開始する。大当たりに当選している場合には各装飾図柄５０群から選択されて停止した装飾図柄５０の組み合わせが所定の組み合わせ（例えば、同じ装飾図柄５０の三つ揃い）となる。はずれである場合には装飾図柄５０は最終的にそれ以外（大当たりとなる組み合わせ以外）の組み合わせとなる。
【００１６】
また、本実施形態にかかる遊技機１では、記憶手段に記憶されている当否判定結果の報知が開始されていない（当否判定結果を報知するための装飾図柄５０の変動が開始されていない）当否判定情報のそれぞれに対応するマークである保留図柄１０が、表示装置９１の表示領域９１１に表示される（図２（ａ）参照）。具体的には、当否判定を実行するための当否判定情報としての数値が取得された順に並ぶよう、保留図柄１０が表示装置９１に表示される。保留図柄１０は図示されない制御基板に設けられる保留制御手段によって制御される。本実施形態では、表示装置９１の表示領域９１１の右下に、表示領域９１１の下側縁に沿って並ぶよう（当否判定結果の報知の開始が早い順に左から並ぶよう）表示される。
【００１７】
図２（ｂ）に示すように、保留図柄１０は、表示される態様として複数種の態様が設定されている。具体的には、一または複数種の通常態様１１と、一または複数種の特殊態様１２が設定されている。本実施形態では、一種の通常態様１１と、四種の特殊態様１２（第一特殊態様１２１〜第四特殊態様１２４）が設定されている。各保留図柄１０が表示されたときにおける当該保留図柄１０に対応する当否判定結果が大当たりとなる蓋然性（いわゆる大当たり信頼度。以下単に信頼度と称することもある）は、通常態様１１よりも特殊態様１２の方が高い。また、特殊態様１２同士で比較すれば、第一特殊態様１２１が最も低く、第四特殊態様１２４が最も高い。第二特殊態様１２２の信頼度は、第一特殊態様１２１よりも高く、第三特殊態様１２３よりも低い。したがって、遊技者は、特殊態様１２の保留図柄１０が表示されること、および特殊態様１２の保留図柄１０が表示されるのであればより信頼度の高い態様のものが表示されることを願いつつ遊技することとなる。なお、これらの保留図柄１０は、表示された時点で対応する当否判定結果が大当たりとなることが確定するものではない。表示された時点で対応する当否判定結果が大当たりとなることが確定する大当特殊態様１２が設定されていてもよい。
【００１８】
通常態様１１と特殊態様１２の形態（見た目）の差異、各特殊態様１２同士の形態（見た目）の差異は、当該差異を遊技者が認識可能であればどのようなものであってもよい。各態様の保留図柄１０の少なくともいずれかについて複数種の態様が設定されていてもよい。例えば、演出のモード（ステージ）によって変化する複数種の通常態様１１、複数種の第一特殊態様１２１〜第四特殊態様１２４が設定されていてもよい。本実施形態では、通常態様１１および各特殊態様１２とでは、少なくともその色が異なるように設定されている。具体的には、通常態様１１は無色（白）、第一特殊態様１２１は青色、第二特殊態様１２２は黄色、第三特殊態様１２３は緑色、第四特殊態様１２４は赤色に設定されている。なお、各図においては、便宜的に当該特殊態様１２の「色」を文字で示している（通常態様１１にはこのような文字を付していない）。
【００１９】
以下、本実施形態にかかる遊技機１が実行可能な保留変化演出および事前演出について説明する。保留変化演出は、信頼度が高まる方向に保留図柄１０の態様が変化するものである。変化前の保留図柄１０が通常態様１１であるのであれば、第一特殊態様１２１〜第四特殊態様１２４のいずれかに保留図柄１０の態様が変化する。いずれかの特殊態様１２の保留図柄１０が、別の特殊態様１２に変化することがあってもよい。
【００２０】
事前演出は、その結末により、保留変化演出が発生するか否かを示すものである。つまり、事前演出の結末として、大きく分けて成功結末と失敗結末の二つが設定されており、成功結末となる場合にはその後保留変化演出が発生し、失敗結末となる場合にはその後保留変化演出は発生しない。なお、保留変化演出は、事前演出を経ることなく発生しうるものとしてもよい。
【００２１】
事前演出では、一または複数種の補助図柄２０を含む補助図柄２０群（図４（ａ）等参照）が変動表示される。補助図柄２０として表示されうる図柄は、特殊態様１２の保留図柄１０のそれぞれに対応するものが設定されている。つまり、本実施形態では、第一特殊態様１２１〜第四特殊態様１２４のそれぞれに対応する四種類の補助図柄２０が設定されている。本実施形態では、第一特殊態様１２１に対応づけられた青色を呈する第一補助図柄２１、第二特殊態様１２２に対応づけられた黄色を呈する第二補助図柄２２、第三特殊態様１２３に対応づけられた緑色を呈する第三補助図柄２３、第四特殊態様１２４に対応づけられた赤色を呈する第四補助図柄２４が設定されている（図３（ａ）参照）。つまり、各補助図柄２０は、「色」により各特殊態様１２に対応づけられている。なお、各図においては、便宜的に当該補助図柄２０の「色」を文字で示している。なお、一の事前演出において、当該四種類の補助図柄２０の全てが必ず表示されるようにしなければならないわけではない。一種のみの補助図柄２０が表示される事前演出が発生しうるようにしてもよい。
【００２２】
各補助図柄２０の具体的態様は、基本的には、各特殊態様１２の保留図柄１０に対応づけられたものであることが把握できればよい。ただし、補助図柄２０と装飾図柄５０との混同を防止するような措置が施されているとよい。つまり、装飾図柄５０は当否判定結果を示すものである一方、補助図柄２０は保留変化演出の発生の有無を示すものであるため、補助図柄２０は両者が混同されないような態様とされる。例えば、装飾図柄５０がその図柄の種類を示す文字を含むものである場合、補助図柄２０は当該装飾図柄５０と同じ概念の文字を含まないものとされるとよい。本実施形態のように、装飾図柄５０が数字を含む図柄とされるのであれば、補助図柄２０は数字を含まないものとされる（漢字やアルファベット等、数字と異なる概念の文字を含むものとするのは問題ない）。
【００２３】
本実施形態では、事前演出において、一または複数種の補助図柄２０を含む補助図柄２０群が三つ表示される（図４（ａ）等参照）。当該補助図柄２０群の数は適宜増減可能である（基本的に二以上であればよい）。各補助図柄２０群は、一または複数種の補助図柄２０に加えて、ブランク図柄Ｂ（図３（ｂ）参照）を含むものとされることがある。後述するように、事前演出は、同じ種類の補助図柄２０が有効ラインに並んだ場合に「当たり」、すなわち成功結末となるものであるが、ブランク図柄Ｂは「はずれ」を構築するためのものでもある。本実施形態では、補助図柄２０群が一種の補助図柄２０のみを含むものとするときには、「はずれ」の可能性があることを示すため、当該補助図柄２０とともにブランク図柄Ｂが必ず含まれるようにする。ただし、補助図柄２０群が一種の補助図柄２０のみを含むものとし、「当たり」（成功結末）となることが確定するような演出態様が発生しうるようにしてもよい。
【００２４】
事前演出の基本的態様は次の通りである。事前演出では、幅方向における左、中、右に位置する三つの補助図柄２０群が表示される（図４（ａ）等参照）。各補助図柄２０群の変動が停止したときに、各補助図柄２０群に含まれる三つの図柄（ブランク図柄Ｂを含む）が表示されうる。つまり、全ての補助図柄２０群の変動が停止したときには、３×３＝９個の図柄がマトリクス状に表示されることとなる。以下、停止した各図柄の位置を、「幅方向・上下方向」の組み合わせで示すものとする。具体的には、左補助図柄２０群から選択されて停止した三つの図柄の位置は、上から順に左・上、左・中、左・下と、中補助図柄２０群から選択されて停止した三つの図柄の位置は、上から順に中・上、中・中、中・下と、右補助図柄２０群から選択されて停止した三つの図柄の位置は、上から順に右・上、右・中、右・下と称することとする。
【００２５】
事前演出が成功結末となったか否かは、有効ラインに同じ補助図柄２０（本実施形態では三つ）が並んだか否かによって示される。換言すれば、当該有効ラインに並ぶ補助図柄２０の組み合わせにより、保留変化演出の発生の有無が示されるということである。当該有効ラインは複数設定される。本実施形態における有効ラインは、「左・上−中・中−右・下」、「左・上−中・上−右・上」、「左・中−中・中−右・中」、「左・下−中・下−右・下」、「左・下−中・中−右・上」の５ラインである（図４（ａ）参照。本実施形態では有効ラインは表示領域９１１に表示されないが、有効ラインが表示領域９１１に表示されるようにしてもよい）。これらの有効ラインのうちのいずれかに同じ種類の補助図柄２０が並んだ場合、成功結末となる。本実施形態では、成功結末となる場合、これら有効ラインのうちの一つにおいて同じ補助図柄２０が並ぶように設定されている。
【００２６】
いずれかの有効ラインにて同じ種類の補助図柄２０が並ぶ成功結末となった場合（図４（ａ）参照）、いずれかの保留図柄１０が、当該補助図柄２０に対応する特殊態様１２に変化する（図４（ｂ）参照）。例えば、ある有効ラインに第一補助図柄２１が並んだ場合には、いずれかの保留図柄１０（通常態様１１）が第一特殊態様１２１に変化することになる。同様に、ある有効ラインに第二補助図柄２２が並んだ場合には、いずれかの保留図柄１０が第二特殊態様１２２に、第三補助図柄２３が並んだ場合には、いずれかの保留図柄１０が第三特殊態様１２３に、第四補助図柄２４が並んだ場合には、いずれかの保留図柄１０が第四特殊態様１２４に変化することになる。いずれかの有効ラインに同じ種類の補助図柄２０が並ばなかった場合は、はずれ（失敗結末）であり、その後、保留変化演出は発生しない。なお、有効ラインの数は適宜増減させることができる。
【００２７】
このように、本実施形態にかかる遊技機１では、事前演出により、保留変化演出が発生するか否かが示される。事前演出は、「スロットマシン」のように、補助図柄２０が揃うか否かに応じて保留変化演出の発生の有無を示すものであるから、その結末が分かりやすい。また、事前演出から保留変化演出に至る一連の演出の趣向性を向上させることが可能である。
【００２８】
また、事前演出にて同じ種類の補助図柄２０が並んだ場合、当該補助図柄２０に対応する態様に保留図柄１０の態様が変化する。つまり、事前演出にて示された補助図柄２０と、変化後の保留図柄１０の態様がリンクするため、事前演出から保留変化演出に至る一連の演出が分かりやすいものとなる。
【００２９】
以下、本実施形態における事前演出が発生する時期について説明する。事前演出は、成功結末となった場合に態様が変化する保留図柄１０、すなわち保留変化演出の対象となる保留図柄１０に対応する当否判定情報よりも前に取得された当否判定情報に対応する先の当否判定結果を報知する先の報知演出中（当該先の当否判定結果を報知する装飾図柄５０の変動開始から、当該変動が停止するまでの間）に実行される。つまり、事前演出およびそれが成功結末となることによって発生する保留変化演出は、公知の先読み演出の一種であるということができる。
【００３０】
先の報知演出においては、先の当否判定結果を報知する三つの装飾図柄５０群が変動し、左、右、中の順で変動が停止または擬似停止（完全には停止していないものの遊技者には停止しているようにみせる表示態様をいう。例えば、わずかに揺れ動いた状態とする）する。予告演出では、各装飾図柄５０群から選択されて停止または擬似的した装飾図柄５０を覆うように、補助図柄２０群が表示される。
【００３１】
まず、左の装飾図柄５０群から選択されて停止または擬似停止した装飾図柄５０（図５（ａ）参照）を覆うように補助図柄２０群（左の補助図柄２０群）が表示される（図５（ｂ）参照）。そして、右の装飾図柄５０群から選択されて停止または擬似停止した装飾図柄５０（図５（ｃ）参照）を覆うように補助図柄２０群（右の補助図柄２０群）が表示される（図５（ｄ）参照）。そして、中の装飾図柄５０群から選択されて停止または擬似停止した装飾図柄５０（図５（ｅ）参照）を覆うように補助図柄２０群（中の補助図柄２０群）が表示される（図５（ｆ）参照）。補助図柄２０群の変動が停止するタイミングはどのようなものであってもよい。本実施形態では、左の補助図柄２０群が表示された後、右の補助図柄２０群が表示されるよりも前に、左の補助図柄２０群の変動が停止する（図５（ｃ）参照）。また、右の補助図柄２０群が表示された後、中の補助図柄２０群が表示されるよりも前に右の補助図柄２０群の変動が停止する（図５（ｅ）参照）。そして、最後に中の補助図柄２０群の変動が停止し（図５（ｇ）参照）、有効ラインに同じ種類の補助図柄２０が並ぶかどうかが示される。
【００３２】
事前演出が終了した後、補助図柄２０が非表示となり、補助図柄２０（群）に覆われていた左、中、右の装飾図柄５０が再び表示される（図５（ｆ）参照）。つまり、当該装飾図柄５０の組み合わせにより、先の当否判定結果が報知される。本実施形態では、事前演出（保留変化演出）は、対象となる保留図柄１０に対応する当否判定結果が開始されるまで（すなわち、対象となる保留図柄１０が、いわゆる当該変動となるまで）の間に大当たりとなる当否判定情報（保留）が存在しないケースに限り発生するように設定されている。したがって、補助図柄２０が非表示となることによって現れた装飾図柄５０により示される先の当否判定結果ははずれとなる。
【００３３】
このように、本実施形態における事前演出（その後発生しうる保留変化演出）は、いわゆる先読み演出の一種であるため、先の当否判定結果を報知する先の報知演出中に実行されることになるところ、当該先の当否判定結果を報知するための装飾図柄５０を覆うように補助図柄２０（群）が表示される。したがって、当該装飾図柄５０に邪魔されることなく、事前演出の結末がどのようなものとなるかが示される。つまり、装飾図柄５０と補助図柄２０の両方が一度に表示されるようにすると、各図柄が混同して演出が分かりにくくなってしまうおそれがあるが、本実施形態では装飾図柄５０が補助図柄２０に覆われるため、このような分かりにくさは生じない。
【００３４】
また、上述したように、本実施形態では、左、右、中の順で補助図柄２０群の変動が停止することになるが、左の補助図柄２０群と右の補助図柄２０群が停止した状態で、有効ラインに同じ種類補助図柄２０が並ぶ可能性がない場合には、中の補助図柄２０群を表示せずに事前演出を終了してもよい。
【００３５】
左の補助図柄２０群と右の補助図柄２０群が停止した状態で、有効ラインに同じ種類の補助図柄２０が並ぶ可能性があるとき、つまり、いずれかの有効ラインにて、二つの同じ種類の補助図柄２０が並んだ場合（いわゆるテンパイした場合）には、当該有効ラインにて三つの同じ種類の補助図柄２０が並ぶ可能性があるということになる。本実施形態では、左の補助図柄２０群と右の補助図柄２０群が停止した状態で、複数の有効ライン（本実施形態では５つ）のうち、二以上の有効ラインにて同じ種類の補助図柄２０が並ぶ可能性があるように設定される。本実施形態では、左の補助図柄２０群と右の補助図柄２０群が停止した状態で、最大三つの有効ラインにて同じ種類の補助図柄２０が並ぶ可能性がある状況が発生しうる（いわゆる、ダブルテンパイ、トリプルテンパイ（図６参照）といった状況が発生しうる）。なお、本実施形態では、このような状況となる場合であっても、成功結末となるときに同じ種類の装飾図柄５０が並ぶのは、一の有効ラインのみとなるように設定されている。
【００３６】
このような状態が発生しうるようにすることで、遊技者に対し、数多くのチャンスがあるような印象を与えることができるとともに、いずれの種類の補助図柄２０が並ぶのか想像させつつ楽しませることができる。なお、有効ラインを増減させることにより、左の補助図柄２０群と右の補助図柄２０群が停止した状態で、同じ種類の補助図柄２０が並ぶ可能性がある有効ラインの数（テンパイの数）を適宜増減させることが可能である。
【００３７】
以下、上記実施形態にかかる遊技機１を改良、変形、具体化等した具体例について説明する。なお、以下の各具体例を用いて説明する事項を複数適用した構成としてもよい。
【００３８】
○第一具体例
上記実施形態では、複数種の補助図柄２０が複数種の特殊態様１２のそれぞれに対応づけられたものであることを説明したが、複数種の補助図柄２０の態様のそれぞれが、対応関係にある特殊態様１２の態様と全く同じものとしてもよい（図７参照）。この場合、事前演出にて同種の補助図柄２０が有効ラインに並んだ場合、当該補助図柄２０と同じ態様となる（ただし、大きさや形式的な部分等は異なっていてもよい。）ように保留図柄１０が変化することになるから、事前演出と保留変化演出の関係が分かりやすいものとなる。
【００３９】
○第二具体例
上記実施形態では、複数種の補助図柄２０は、対応する特殊態様１２の色を示すものであることを説明したが、補助図柄２０と特殊態様１２の対応関係の示唆態様は、このような直接的な示唆に限られるわけではない。複数種の補助図柄２０と複数種の特殊態様１２が１：１の関係にあれば、補助図柄２０が対応する特殊態様１２を直接的に示唆するものでなくても、遊技を継続的に実行することで当該対応関係を把握することが可能である。例えば、補助図柄２０として複数種のキャラクタが設定され、当該キャラクタのそれぞれが複数種の特殊態様１２のうちのいずれかに対応づけられたものとすることが考えられる。
【００４０】
○第三具体例
上記実施形態や、第一具体例、第二具体例とは異なり、一の補助図柄２０が二以上の特殊態様１２に対応づけられた構成としてもよい。つまり、当該一の補助図柄２０が有効ラインに揃ったときには、保留図柄１０の態様が当該二以上の特殊態様１２のうちのいずれかとなるような設定としてもよい。このような構成とすれば、補助図柄２０が揃ったときに、保留図柄１０の態様がどのようなものとなるかを予測しつつ楽しむ遊技性を実現することが可能となる。
【００４１】
○第四具体例
上記実施形態では、事前演出が成功結末となるときに同じ種類の装飾図柄５０が並ぶのは、一の有効ラインのみとなるように設定されているが、二以上の有効ラインにて同じ種類の補助図柄２０が並ぶ事象が発生しうるものとしてもよい。一の有効ラインにて並ぶ補助図柄２０と、別の有効ラインにて並ぶ補助図柄２０が同じ種類のものとなりうる構成としてもよい。
【００４２】
事前演出において二以上の有効ラインにて同じ種類の補助図柄２０が並ぶ結末となった場合、その結果として発生する保留変化演出の態様としては種々考えられる。基本的には、一の有効ラインにて同じ種類の補助図柄２０が並んだ場合よりも、遊技者に有利な態様が発生するようにすればよい。例えば、ある有効ラインにて並んだ補助図柄２０に対応する特殊態様１２に一の保留図柄１０が変化し、別の有効ラインにて並んだ補助図柄２０に対応する特殊態様１２に別の保留図柄１０が変化するような構成とすることが考えられる（図８参照）。つまり、一度に二以上の保留図柄１０が変化するような保留変化演出とする構成が考えられる。
【００４３】
また、二以上の有効ラインにて並んだ補助図柄２０の種類を踏まえ、一の保留図柄１０の態様がより信頼度の高い特殊態様１２に変化するような構成とすることが考えられる。例えば、ある有効ラインにて第一補助図柄２１が、別の有効ラインにて第二補助図柄２２が並んだ場合には、一の保留図柄１０を通常態様１１から第三特殊態様１２３に変化させる（図９参照）。第一補助図柄２１は、第一特殊態様１２１に対応するものであるから、保留図柄１０の信頼度を１段階高めるものであるといえる。第二補助図柄２２は、第二特殊態様１２２に対応するものであるから、補助図柄２０の信頼度を２段階高めるものであるといえる。したがって、第一補助図柄２１と第二補助図柄２２の両方が有効ラインに並んだ場合には、「１＋２＝３段階」信頼度を高めるように保留図柄１０の態様が変化するようにする。このように、二以上の有効ラインのそれぞれに揃った補助図柄２０が何段階保留図柄１０の信頼度を高めるものであるかを考慮し、それの総和分、保留図柄１０の信頼度を高めるように変化させるとよい。なお、本実施形態における特殊態様１２は四段階に区分けされたものであるから、当該「総和」が４以上となるケースの全てにおいて、保留図柄１０は第四特殊態様１２４に変化するということになる。
【００４４】
○第五具体例
上記実施形態では、同じ種類の補助図柄２０が有効ラインに並ぶことが成功結末として設定されていることを説明したが、成功結末となることを示す手法はこれに限られるわけではない。例えば、一または複数種の補助図柄２０とブランク図柄Ｂを含む補助図柄２０群を変動表示させ、その種類を問わず有効ラインに補助図柄２０が並んだ場合に成功結末となるような設定としてもよい。つまり、有効ラインにブランク図柄Ｂを含まない態様となることを成功結末として設定してもよい。
【００４５】
また、補助図柄２０が有効ラインに沿って所定の組み合わせとなった場合に成功結末となるような設定としてもよい。例えば、補助図柄２０をＡ、Ｂ、Ｃ、Ｄ・・・といった文字を含むものとし、当該補助図柄２０の文字が有効ラインに沿って順目（アルファベット順）でならんだ場合に成功結末となるような設定としてもよい。
【００４６】
○第六具体例
上記実施形態では、事前演出が成功結末となった場合、未だ当否判定結果を報知する報知演出（装飾図柄５０の変動）が開始されていないものの存在を示す保留図柄１０の態様が変化することを説明したが、当否判定結果を報知する報知演出が開始されているももの、当該結果の報知が完了していないものの存在を示すいわゆる「当該変動」に対応する保留図柄１０（当該変動図柄）が表示される構成において、当該変動図柄の態様が信頼度が高まる方向に変化しうる設定としてもよい。
【００４７】
○第七具体例
上記実施形態では、事前演出において五つの有効ラインが設定されていることを説明したが、当該有効ラインの数は適宜増減可能である。一つの有効ラインのみが設定された構成としてもよい。また、事前演出が発生する度に、有効ラインの数が変化しうる構成としてもよい。
【００４８】
以上、本発明の実施の形態について詳細に説明したが、本発明は上記実施の形態に何ら限定されるものではなく、本発明の要旨を逸脱しない範囲で種々の改変が可能である。
【００４９】
上記実施形態から得られる具体的手段（遊技機）を以下に列挙する。
【００５０】
・手段１
対応する当否判定結果の報知が完了していない当否判定情報の存在を示す保留図柄を表示する表示手段と、
対応する当否判定結果が当たりとなる蓋然性である信頼度が高まったことを、前記保留図柄の態様の変化により示唆する保留変化演出を実行することが可能な保留変化演出実行手段と、
一または複数種の補助図柄を含む複数の補助図柄群を変動表示し、当該補助図柄群の変動の停止により示される補助図柄の組み合わせが所定の態様となるか否かにより、前記保留変化演出の発生の有無を示す事前演出を実行する事前演出実行手段と、
を備えることを特徴とする遊技機。
上記遊技機によれば、事前演出により保留変化演出が発生するか否かが示されるため、従来の保留変化演出に比して趣向性を高めることが可能となる。
【００５１】
・手段２
前記補助図柄の組み合わせが同じ種類の補助図柄で構成されるものとなった場合に、前記保留図柄の態様が変化することを特徴とする手段１に記載の遊技機。
このような構成とすることで、保留図柄の態様が変化するか否かが分かりやすいものとなる。
【００５２】
・手段３
前記補助図柄の組み合わせが同じ種類の補助図柄で構成されるものとなった場合、当該補助図柄に対応する態様に前記保留図柄の態様が変化することを特徴とする手段２に記載の遊技機。
このように、同じ種類で揃った補助図柄に対応する態様に保留図柄の態様が変化するようにすることで、保留図柄の態様の変化が分かりやすいものとなる。
【００５３】
・手段４
前記補助図柄の組み合わせが同じ種類の補助図柄で構成されるものとなった場合、当該補助図柄が表す色と同じ色に前記保留図柄の色が変化することを特徴とする手段３に記載の遊技機。
このように、同じ種類で揃った補助図柄が表す色と同じ色に保留図柄が変化するようにすることで、保留図柄の態様の変化が分かりやすいものとなる。
【００５４】
・手段５
前記補助図柄の組み合わせが同じ種類の補助図柄で構成されるものとなった場合、当該補助図柄と同じ態様に前記保留図柄の態様が変化することを特徴とする手段３に記載の遊技機。
このように、同じ種類で揃った補助図柄と同じ態様に保留図柄の態様が変化するようにすることで、保留図柄の態様の変化が分かりやすいものとなる。
【００５５】
・手段６
前記事前演出は、複数の前記補助図柄群が変動表示されるものであって、複数の有効ラインのいずれかに沿って同じ種類の補助図柄が並んだ組み合わせとなった場合に前記保留図柄の態様が変化することを特徴とする手段２から請求項５のいずれかに記載の遊技機。
このようにすることで、事前演出がよりわかりやすいものとなる。また、複数の有効ラインのいずれかにて同じ種類の補助図柄が並べば保留図柄の態様が変化することになるため、遊技者は数多くのチャンスがあるような印象を受けることになる。
【００５６】
・手段７
前記事前演出は、三つの補助図柄群が変動表示されるものであって、当該三つの補助図柄群のうちの二つの変動が停止した状態で、前記複数の有効ラインのうちの二以上において同じ種類の補助図柄が並ぶ可能性がある状態が発生しうることを特徴とする手段６に記載の遊技機。
このような状態が発生しうるようにすることで、遊技者に対し、数多くのチャンスがあるような印象を与えることができるとともに、いずれの種類の補助図柄が並ぶのか想像させつつ楽しませることができる。
【００５７】
・手段８
前記事前演出は、前記保留変化演出の対象となる保留図柄に対応する当否判定情報よりも先に取得された当否判定情報に対応する先の当否判定結果を報知する先の報知演出中に発生するものであることを特徴とする手段１から手段７のいずれかに記載の遊技機。
このように、保留変化演出を、いわゆる先読み演出として機能させることも可能である。
【００５８】
・手段９
前記事前演出は、前記先の当否判定結果を報知するために変動表示される装飾図柄の変動が停止または擬似的に停止された上で、当該装飾図柄を覆うように前記補助図柄群が変動表示されるものであることを特徴とする手段８に記載の遊技機。
このようにすることで、先の当否判定結果を報知するために表示される装飾図柄が、事前演出（補助図柄の表示）を妨げないようにすることができる。また、先の当否判定結果を報知するために表示される装飾図柄は補助図柄に覆われるのであるから、事前演出が先読み演出の一種として機能するというものであることを分かりやすくすることが可能である。
【符号の説明】
【００５９】
１  遊技機
１０  保留図柄
１１  通常態様
１２  特殊態様
１２１〜１２４  第一特殊態様〜第四特殊態様
２０  補助図柄
２１〜２４  第一補助図柄〜第四補助図柄
５０  装飾図柄
９１  表示装置
９１１  表示領域
【図１】
2019024710.tif 000003
【図２】
2019024710.tif 000004
【図３】
2019024710.tif 000005
【図４】
2019024710.tif 000006
【図５】
2019024710.tif 000007
【図６】
2019024710.tif 000008
【図７】
2019024710.tif 000009
【図８】
2019024710.tif 000010
【図９】
2019024710.tif 000011